(57)【特許請求の範囲】
【請求項１】
プリアンブル送信方法において、
制御情報を１つ以上のＦＥＣブロックに符号化し変調する段階と、
各ＦＥＣブロックの前方部にヘッダーを挿入する段階と、
前記ヘッダーを含む少なくとも１つのＦＥＣブロックを含むプリアンブルブロックを生成する段階と、
前記プリアンブルブロックを送信する段階とを含み、
前記プリアンブルブロック内の残りの部分は、前記ヘッダーを含む前記ＦＥＣブロックの少なくとも一部分の循環繰り返しで満たされる
ことを特徴とするプリアンブル送信方法。
【請求項２】
前記ヘッダーは、既知のシーケンスを基礎にして生成されることを特徴とする請求項１に記載のプリアンブル送信方法。
【請求項３】
前記既知のシーケンスは、擬似雑音シーケンス（pseudo noise sequence）であることを特徴とする請求項２に記載のプリアンブル送信方法。
【請求項４】
前記１つ以上のＦＥＣブロックは、同一の長さを有することを特徴とする請求項１に記載のプリアンブル送信方法。
【請求項５】
前記ヘッダーは、前記プリアンブルに相当する長さ情報を含むことを特徴とする請求項１に記載のプリアンブル送信方法。
【請求項６】
プリアンブル受信方法において、
受信帯域内でコードブロックを検出する段階と、
前記コードブロックが繰り返されれば、前記繰り返されるコードブロックを結合する段階と、
前記コードブロックから制御情報を抽出する段階と、
受信したデータ信号を前記制御情報に基礎して復号化する段階と、を含み、
前記繰り返されるコードブロックは、ヘッダーを含む少なくとも１つのＦＥＣブロックを含み、前記コードブロック内の残りの部分は、前記ヘッダーを含む前記ＦＥＣブロックの少なくとも一部分の循環繰り返しで満たされる
プリアンブル受信方法。
【請求項７】
前記受信帯域内でコードブロックを検出する段階は、
前記受信帯域内で既知のシーケンスを検出する段階と、
前記既知のシーケンスを利用して前記コードブロックの開始位置及び長さを計算する段階と、を含むことを特徴とする請求項６に記載のプリアンブル受信方法。
【請求項８】
プリアンブル送信装置において、
制御情報を有する少なくとも１つのＦＥＣブロックを生成する符号変調部（encoder）と、
ヘッダーを有する少なくとも１つのＦＥＣブロックを含むプリアンブルブロックを生成する生成部と、
前記生成されたプリアンブルブロックを送信する送信部とを含み、
前記プリアンブルブロック内の残りの部分は、前記ヘッダーを含む前記ＦＥＣブロックの少なくとも一部分の循環繰り返しで満たされる
プリアンブル送信装置。
【請求項９】
前記ＦＥＣブロックの前方部に挿入されるシーケンスを生成するシーケンス生成部をさらに含むことを特徴とする請求項８に記載のプリアンブル送信装置。
【請求項１０】
前記シーケンスは、擬似雑音シーケンスであることを特徴とする請求項９に記載のプリアンブル送信装置。
【請求項１１】
前記１つ以上のＦＥＣブロックは、同一の長さを有することを特徴とする請求項８に記載のプリアンブル送信装置。
【請求項１２】
前記ヘッダーは、前記プリアンブルに相当する長さ情報を含むことを特徴とする請求項８に記載のプリアンブル送信装置。
【請求項１３】
プリアンブル受信装置において、
コードブロックが既設定の受信帯域内で繰り返される場合、前記繰り返されるコードブロックを結合した後、前記受信帯域内の前記コードブロックから制御情報を抽出する制御情報抽出器と、
受信されるデータ信号を前記制御情報に基礎して復号化するデータ抽出器と、を含み、
前記繰り返されるコードブロックは、ヘッダーを含む少なくとも１つのＦＥＣブロックを含み、前記コードブロック内の残りの部分は、前記ヘッダーを含む前記ＦＥＣブロックの少なくとも一部分の循環繰り返しで満たされる
プリアンブル受信装置。 
【請求項１４】
前記受信帯域内で既知のシーケンスを検出し、前記既知のシーケンスを基にして前記コードブロックの開始位置及び長さを計算するシーケンス検出器をさらに含むことを特徴とする請求項１３に記載のプリアンブル受信装置。
【発明の詳細な説明】
【技術分野】
【０００１】
本発明は、直交周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムのプリアンブル送受信方法及び装置に関し、特に、シーケンス情報を含むプリアンブルを送受信する方法及び装置に関する。
【背景技術】
【０００２】
直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムは、ヨーロッパ放送標準である地上波デジタルビデオ放送（Ｄｉｇｉｔａｌ  Ｖｉｄｅｏ  Ｂｒｏａｄｃａｓｔｉｎｇ−Ｔｅｒｒｅｓｔｒｉａｌ：ＤＶＢ−Ｔ）で使用されている送信技法である。また、第２世代ケーブルデジタルビデオ放送（Ｄｉｇｉｔａｌ  Ｖｉｄｅｏ  Ｂｒｏａｄｃａｓｔｉｎｇ−Ｃａｂｌｅ  Ｓｅｃｏｎｄ  Ｇｅｎｅｒａｔｉｏｎ：ＤＶＢ−Ｃ２）でも、直交周波数分割多重システムを考慮している。
【０００３】
ＤＶＢ−Ｃ２システムは、単一のチャネルまたは複数のチャネルを結合して割り当て、これにより、帯域幅も多様になる。単一のチャネルだけでＤＶＢ−Ｃ２システムが構成される場合、ＤＶＢ−Ｃ２システムの帯域幅は、ＤＶＢ−Ｃと同じ８ＭＨｚで構成される。もし、Ｎ個のチャネルが結合される場合、ＤＶＢ−Ｃ２システムの帯域幅は、ＤＶＢ−Ｃの帯域幅に比べてＮ倍に増加するようになる。すなわち、Ｎｘ８ＭＨｚの帯域幅を有する。
【０００４】
複数のチャネルを結合してシステムを構成する場合、ＤＶＢ−ＣとＤＶＢ−Ｃ２のチャネル容量を比較する。ＤＶＢ−Ｃの場合は、チャネルを単純結合するので、チャネルの数が増加するにつれて保護帯域（Ｇｕａｒｄ  ｂａｎｄ）の数も増加する。４個のチャネルが結合される場合、ＤＶＢ−Ｃの実際帯域幅は、全体帯域幅（８ｘ４ＭＨｚ）から５個の保護帯域だけを引いた値になる。
【０００５】
一方、ＤＶＢ−Ｃ２のシステムは、直交周波数分割多重伝送方式を利用し、チャネル間の保護帯域は必要せず、全体にわたった帯域の終端だけで保護帯域が存在する。４個のチャネルが結合される場合、ＤＶＢ−Ｃ２の実際帯域幅は、全体帯域幅（８ｘ４ＭＨｚ）から２つの保護帯域だけを引いた値になる。これにより、ＤＶＢ−Ｃ２システムの周波数効率（Ｓｐｅｃｔｒａｌ  ｅｆｆｉｃｉｅｎｃｙ）がＤＶＢ−Ｃより増加するようになる。
【０００６】
図１は、受信帯域（ｔｕｎｉｎｇ  ｗｉｎｄｏｗ）が固定されている一般的なシステムのフレーム構造を示す図である。
【０００７】
図１で、２つのチャネル１０１、１０２が各々異なる周波数帯域で伝送されていて、各チャネル別に異なる放送データ（チャネル１では、１０５、１０６データ、チャネル２では、１０７、１０８、１０９データ）が伝送されている。また、制御情報が伝送されるプリアンブル（ｐｒｅａｍｂｌｅ）１０３、１０４は、各チャネル別に合わせて構成され、各フレームの開始位置に伝送される。図１の場合、受信機は、所望の放送データによって受信帯域を第１チャネル１０１または第２チャネル１０２に正確に合わせるようになる。
【０００８】
しかし、チャネル資源の効率的配分のために全体チャネル帯域を共有してスケジューリングを行う方式がＤＶＢ−Ｃ２システムで考慮されている。図２は、このようなシステムのフレーム構造を示す図であり、図２は、プリアンブルブロックのサイズが受信帯域８ＭＨｚと同一の場合について示す図である。
【０００９】
特定の放送データ２１３は、各チャネル別に境界周波数２０１とは関係なく割り当てられていることが分かる。このような場合、プリアンブルに伝送される制御情報は、全体チャネル２１１〜２１５に対する情報が同一に各プリアンブルブロック２０２、２０３に収納されるようになる。また、受信機は、所望する放送データが割り当てられた周波数帯域に合わせて自由に受信帯域２２０をチューニングして受信する。この時、各々の放送データが割り当てられることができる最大周波数幅は、受信機の最小受信帯域（ここでは、８ＭＨｚを仮定する）を超えることができない。
【００１０】
一方、図２のように、１つのプリアンブルブロックのサイズが受信帯域（８ＭＨｚ）と同一の場合に比べて、プリアンブルのブロックサイズを受信帯域（８ＭＨｚ）より小さく割り当てる場合について考察することができる。このような場合、１つの特定の受信帯域（８ＭＨｚ）内にプリアンブルがセグメンテーション（ｓｅｇｍｅｎｔａｔｉｏｎ）されないことができる。
【００１１】
図３は、プリアンブルブロックサイズが受信帯域（８ＭＨｚ）より小さい場合を示す図である。受信機が参照符号３２０のような受信帯域を有する場合、セグメントされていない完全な１つのプリアンブルブロック３０２を受信する長所がある。但し、この場合、全体チャネルサイズを合わせるために、特定のプリアンブルブロック３０３は、非常に制限的に送信するようになる。すなわち、参照符号３０４部分は、他のシステム、例えば、ＤＶＢ−Ｃ２でないシステムに割り当てられた周波数なので、伝送されない。
【００１２】
図４は、プリアンブルがセグメントされた場合について受信端の動作を説明する図である。参照符号４２０のような受信帯域に受信機がチューニングされている場合、受信帯域を通じて受信プリアンブル４０１を受信するようになる。しかし、受信プリアンブル４０１は、実際には前４１０と後４１１の位置が変更される場合に該当するので、受信端では、手順を再整列（ｒｅ−ｏｒｄｅｒｉｎｇ）し、調整されたプリアンブル４３０を作成する過程が必要となる。
【００１３】
したがって、従来の技術では、受信機がチューニングされた受信帯域から境界周波数４２５を推定しなければならないし、推定された境界周波数情報からプリアンブルを再整列しなければならないという短所がある。特に周波数オフセットに起因して推定した境界周波数情報に誤差が生じる場合には、誤ったプリアンブルを受信するようになり、制御情報の抽出失敗に起因して全体フレームのデータ受信が不可能になることもある。
【発明の概要】
【発明が解決しようとする課題】
【００１４】
本発明は、前述したような従来の問題に鑑みてなされたもので、その目的は、放送システムに適した周波数オフセットに強いプリアンブルを生成し、これを送受信する方法及び装置を提供することにある。
【００１５】
また、本発明の他の目的は、プリアンブルブロック内の不要なダミーセルを除去し、制御情報を繰り返して受信性能を向上させることができるプリアンブル送受信装置及び方法を提供することにある。
【００１６】
本発明のさらに他の目的は、セグメントされたプリアンブルによる再整列のような不要な過程を低減することによって、簡単な受信端の動作を可能にするプリアンブル送受信装置及び方法を提供することにある。
【課題を解決するための手段】
【００１７】
上記目的を達成するために、本発明の好ましい実施形態によるプリアンブル送信方法は、制御情報を有するコードブロックと前記コードブロックに対応して既知のシーケンスが挿入されたヘッダーとが少なくとも１つの対で含まれた１つのプリアンブルブロックを生成する過程と、前記プリアンブルブロックをＯＦＤＭセルにマッピングし、周波数軸で繰り返して伝送する過程とを含む。
【００１８】
また、本発明の好ましい実施形態によるプリアンブル受信方法は、既設定の受信帯域内でシーケンスを検出する過程と、前記検出されたシーケンスから１つのコードブロック開始位置及び長さを抽出する過程と、前記開始位置及び長さを利用して前記コードブロックの制御情報を抽出する過程と、前記制御情報を通じて受信されるデータ信号を復号する過程とを含む。
【００１９】
また、本発明の好ましい実施形態によるプリアンブル送信装置は、制御情報を有する少なくとも１つのコードブロックを生成する符号変調部（ｅｎｃｏｄｅｒ）と；前記コードブロックに既知のシーケンスが挿入されたヘッダーを生成し、前記コードブロックに付加するシーケンス発生部と；前記コードブロックと前記ヘッダーの対を少なくとも１つ含むプリアンブルブロックをＯＦＤＭセルにマッピングし、周波数軸で繰り返して伝送するシンボルマッピング部と；を含む。
【００２０】
また、本発明の好ましい実施形態によるプリアンブル受信装置は、既設定の受信帯域内でシーケンスを検出し、検出したシーケンスから１つのコードブロック開始位置及び長さを抽出するシーケンス検出器と；前記抽出した開始位置及び長さを利用して前記コードブロックの制御情報を抽出する制御情報抽出器と；前記抽出した制御情報を通じて受信されるデータ信号を復号するデータ抽出器と；を含む。
【発明の効果】
【００２１】
本発明によれば、可変的チューニングが許容されるケーブルデジタルビデオ放送システムでプリアンブル設計方法を提供することによって、受信端の構造を簡単にすると共に、ダイバーシチ合成（ｃｏｍｂｉｎｉｎｇ  ｄｉｖｅｒｓｉｔｙ）を利用し、受信性能を改善することができる。
【００２２】
また、周波数チューニング情報なしも既知のシーケンスを使用するプリアンブルを利用して周波数オフセットエラーに強いプリアンブル推定方式を提供することができる。
【図面の簡単な説明】
【００２３】
【図１】受信帯域（ｔｕｎｉｎｇ  ｗｉｎｄｏｗ）が固定されている一般的なシステムのフレーム構造を示す図である。
【図２】プリアンブルブロックのサイズが受信帯域と同一の場合について示す図である。
【図３】プリアンブルブロックサイズが受信帯域（８ＭＨｚ）より小さい場合を示す図である。
【図４】プリアンブルがセグメントされた場合について受信端の動作を説明する図である。
【図５】一般的なプリアンブルと本発明の実施形態によるプリアンブルを比較するための図である。
【図６】一般的なプリアンブルと本発明の実施形態によるプリアンブルを比較するための図である。
【図７】本発明の実施形態によるプリアンブル検出方法を説明するための図である。
【図８】本発明の実施形態によるプリアンブル検出方法を説明するための図である。
【図９】一般的な送信機を説明するための図である。
【図１０】本発明の実施形態による送信機の概略的な構造を説明するための図である。
【図１１】本発明の実施形態による送信機の概略的な構造を説明するための図である。
【図１２】本発明の実施形態によるプリアンブルブロックを生成する方法を説明するための流れ図である。
【図１３】本発明の実施形態によるプリアンブルブロックを生成する方法を説明するための流れ図である。
【図１４】本発明の実施形態による受信機の概略的な構成を説明するための図である。
【図１５】本発明の実施形態による受信方法を説明するための流れ図である。
【発明を実施するための形態】
【００２４】
以下、本発明による好ましい実施形態を添付の図面を参照して詳しく説明する。下記の説明では、本発明による動作を理解するのに必要な部分のみ説明され、その他の部分の説明は、本発明の要旨を不明瞭にしないように省略される。
【００２５】
まず、本発明の好ましい実施形態によるプリアンブルの構造について説明する。
【００２６】
図５及び図６は、一般的なプリアンブルと本発明の実施形態によるプリアンブルを比較するための図である。
【００２７】
図５に一般的なプリアンブルが図示されている。図示のように、一般的な１つのプリアンブルブロック５０１は、Ｋ個のＯＦＤＭセルで構成され、これは、前述したように、受信機の受信帯域サイズより小さいか、同じ周波数帯域幅を有する。
【００２８】
いずれか１つのフレームに対する制御情報は、１つまたは複数個のコードブロック（ＦＥＣ  ｂｌｏｃｋ）５１１〜５１３に符号化され、変調された後、プリアンブルブロックの開始位置５１１から満たされる。この時、１つの変調されたコードブロックが占めるセルの個数をＭ個からなり、全体制御情報がＮ個のコードブロックで構成されると仮定する。すると、プリアンブルブロック５０１内にＫ−Ｍ×Ｎ個のセルが空いているようになる。プリアンブルブロック５０１のサイズＫは、最大の制御情報の長さによって事前に決定された値なので、このような場合、残りの空いているセルに対してダミーセルで満たすようになる。ダミーセルのサイズは、制御情報の長さによって可変的なもので、制御情報の長さが非常に短い場合には、大部分のプリアンブルブロックがダミーセルで満たされる資源無駄使いを引き起こすこともできる。
【００２９】
一方、図６には、本発明の実施形態によるプリアンブルを図示した。図示のように、１つのプリアンブルブロックのサイズは、Ｋセルであり、ヘッダーのサイズは、Ａセルであり、コードブロックのサイズは、Ｍセルであると仮定する。また、本発明の実施形態によるプリアンブルブロックで制御情報を有するコードブロックの数は、Ｎ個と仮定する。本発明の実施形態によるプリアンブルブロック６０１は、制御情報を有する各々のコードブロック６１２、６１４、６１６の前方に各々のヘッダー６１１、６１３、６１５を追加に有するようになる。ここで、制御情報は、全体チャネルに対する情報を含む。すなわち、参照符号のコードブロック１〜Ｎは、すべてのチャネルに対する情報を含む。
【００３０】
本発明の実施形態によれば、各ヘッダー６１１、６１３、６１５には、事前に“既知のシーケンス（ｋｎｏｗｎ  ｓｅｑｕｅｎｃｅ）”を有していて、各々のコードブロックの位置を自動で検出することができる。このような既知のシーケンスは、広く知られたＰＮ（Ｐｓｅｕｄｏ  Ｎｏｉｓｅ）シーケンスなどが使用されることができる。また、付加的に各ヘッダーには、コードブロックインデックス及びコードブロック長さなどの追加的な情報が付加されることもできる。図６で、ヘッダーのサイズは、Ａ個のセルで決定されるので、全体プリアンブルブロックのうちＫ−Ｎ＊（Ｍ＋ａ）個だけのセルが空いているようになる。この時、一般的なプリアンブルとは異なって、空いているセルをダミーセルで満たすことなく、空いているセルサイズ分だけを現在構成されたプリアンブルの前方部から順にコピーして使用する。したがって、図６で、参照符号６１７は、参照符号６１１と同一のヘッダーであり、参照符号６１８は、コードブロック６１２から必要な長さ分だけを部分抽出したものを示す。
【００３１】
これにより、参照符号６１８の部分は、受信機でコードブロック６１２の受信性能を改善するために、ＭＲＣ（Ｍａｘｉｍａｌ  Ｒａｔｉｏ  Ｃｏｍｂｉｎｇ）などの方式で結合することができる。
【００３２】
前述したように、制御情報に既知のシーケンスを挿入する方法と、これによるプリアンブル検出方法を説明する。図７及び図８は、本発明の実施形態によるプリアンブル検出方法を説明するための図である。
【００３３】
図７及び図８では、全体制御情報が１つのコードブロックで構成される場合を仮定する。また、図７及び図８では、周波数軸上に連続する少なくとも２つのプリアンブルブロックを仮定する。
【００３４】
図７では、既知のシーケンスをコードブロックの最前方に挿入する方式について説明する。図７を参照すれば、第１プリアンブルブロック７１０を例示すれば、１つのプリアンブルブロックは、その開始点からヘッダー７０１が含まれ、すべてのチャネルの制御情報を有するコードブロック７０１、７０２が先に満たされる。この時、プリアンブルブロックの残りの部分６０３、６０４には、ヘッダーを含むコードブロック７０１、７０２がプリアンブル開始点（７０１の開始位置）から必要な分だけコピーされて満たされる。
【００３５】
また、第２プリアンブルブロック７２０は、上述した第１プリアンブルブロック７１０と同一である。すなわち、 第２プリアンブルブロックは、 第１プリアンブルブロック７１０をコピーする。
【００３６】
受信機のチューニング（ｔｕｎｉｎｇ）されている受信帯域が参照符号７３０で示されると仮定すれば、受信プリアンブル内に３個のヘッダー７０３、７０５、７０７が存在するようになり、各ヘッダーには、既知のシーケンスが挿入される。これにより、受信機のシーケンス検出器で相関（ｃｏｒｒｅｌａｔｉｏｎ）のような方法を通じて３個のヘッダーのピーク値ａ、ｂ、ｃを得ることができる。すなわち、受信機は、既知のシーケンスを利用した相関演算を通じて自己相関（Ａｕｔｏ  ｃｏｒｒｅｌａｔｉｏｎ）を導出し、ピーク値を得ることができる。  
【００３７】
検出されたピーク値間の間隔を通じて実際制御情報長さ７４０を検出すれば、これにより、制御情報の開始位置ｂと長さ７４０を共に把握することができる。また、制御情報の一部分７５０を把握することができるので、制御情報の一部分７５０は、制御情報の開始位置ｂから結合（ｃｏｍｂｉｎｅ）し、データの信頼度を高めることができる。
【００３８】
したがって、一般的なプリアンブル検出方式では、プリアンブルブロック間の境界周波数、すなわちヘッダー７０５の開始位置を現在チューニングされた周波数から把握し、再整列しなければならなかったが、本発明の実施形態によれば、簡単なシーケンス検出器を利用して自動で検出することができる。したがって、周波数オフセットのような予期しない誤差が発生しても、安全に実際プリアンブル位置を検出することができる。
【００３９】
上記では、既知のシーケンスの位置をコードブロックの最前方に挿入する方式について説明したが、以下では、本発明の他の実施形態として、既知の  シーケンスの位置をコードブロックの中間に挿入する方式について説明する。
【００４０】
図８では、システムが使用する符号化方式は、ＬＤＰＣ（Ｌｏｗ−Ｄｅｎｓｉｔｙ  Ｐａｒｉｔｙ−Ｃｈｅｃｋ）のような規則的な（ｓｙｓｔｅｍａｔｉｃ）符号であると仮定する。規則的な（Ｓｙｓｔｅｍａｔｉｃ）符号は、コードブロックに実際制御情報ビット列とパリティビット列が区分され、制御情報ビット列が同一に現われる符号化方式を意味する。このような規則的な符号の場合には、既知のシーケンスを情報ビット列とパリティビット列の境界に挿入することによって、制御情報の長さを抽出することができる。
【００４１】
図８を参照すれば、１つのコードブロック８０１は、順に情報ビット列１０と、既知のシーケンスが挿入されたヘッダー２０と、パリティビット列３０とで構成される。このように構成されたコードブロック８０１は、図示のように、プリアンブルブロック内で必要な分だけ繰り返されて伝送するようになる。ここで、第１プリアンブルブロック８１０及び第２プリアンブルブロック８２０は、同一であり、参照符号８０３、８０５は、既知のシーケンスが挿入されたヘッダーである。
【００４２】
受信端の受信帯域が参照符号８３０で示されると仮定すれば、受信帯域のサイズは、プリアンブルブロックより大きいかまたは同一なので、必ず１つ以上のヘッダーを含むようになる。したがって、受信端のシーケンス検出器は、既知のシーケンスを通じてピーク値８７０を検出することができる。
【００４３】
また、受信端は、現在チューニングされた周波数情報からプリアンブルブロック間の境界周波数８５０を得ることができる。その後、ピーク値８７０及び境界周波数８５０を利用して実際制御情報の情報ビット列の長さ８６０をすぐ抽出することができる。但し、このような場合、前述したように、受信機がチューニング情報を有していなければならない。
【００４４】
次に、前述したように、制御情報に既知のシーケンスを挿入し、プリアンブルブロックを生成して伝送する送信機と一般的な送信機の構造を比較して説明する。
【００４５】
まず、一般的な送信機の構造について説明する。図９は、一般的な送信機を説明するための図である。図９を参照すれば、一般的な送信機は、ＦＥＣ部９０２、シンボルマッピング部９０４及びダミーセル挿入部９０６を備えて構成される。
【００４６】
ＦＥＣ部９０２は、与えられた制御情報を符号化及び変調してコードブロックを出力する。シンボルマッピング部９０４は、プリアンブル長さとは関係なく、必要な分だけＯＦＤＭセルにマッピングして出力する。ダミーセル挿入部９０６は、プリアンブル長さで残りの空いている部分にダミーセルを挿入し、最終的に１つのプリアンブルブロックを形成する。このように決定されたプリアンブルブロックは、以後にすべてのチャネルのプリアンブルブロックについて同一に繰り返される。
【００４７】
一方、本発明の実施形態による送信機は、ダミーセルを挿入しない。このような本発明の実施形態による送信機の構造について説明する。
【００４８】
図１０及び図１１は、本発明の実施形態による送信機の概略的な構造を説明するための図である。
【００４９】
図１０は、本発明の一実施形態による送信機の概略的な構造を説明するための図である。特に、図１０は、図７で説明したように、既知のシーケンスの位置をコードブロック開始位置に挿入する方式に関する。
【００５０】
図１０を参照すれば、本発明の一実施形態による送信機は、符号変調部１００２、シーケンス発生部（ｓｅｑｕｅｎｃｅ  ｇｅｎｅｒａｔｏｒ）１００５、繰り返し部（ｒｅｐｅａｔｅｒ）１００３、シンボルマッピング部（ＯＦＤＭ  ｓｙｍｂｏｌ  ｍａｐｐｅｒ）１００４及び制御部１０１０を備えて構成される。
【００５１】
符号変調部１００２は、制御情報が入力されれば、入力された制御情報を符号化及び変調する役目を行う。また、シーケンス発生部１００５は、既知のシーケンスを含むヘッダーを生成して出力する。これにより、コードブロックは、符号変調部１００２が符号化及び変調化した制御情報にシーケンス発生部８０５が生成したシーケンスを挿入させて生成される。
【００５２】
繰り返し部１００３は、１つのプリアンブルブロックサイズだけコードブロックを繰り返して生成する。すなわち、図６で説明したように、コードブロック開始位置から繰り返して追加し、且つ追加されるコードブロックは、１つのプリアンブルブロックサイズによって切断する。
【００５３】
その後、シンボルマッピング部１００４は、生成されたコードブロックをＯＦＤＭセルに各々マッピングして出力する。これにより、１つのプリアンブルブロックが決定される。このような本発明の実施形態によれば、空いているセルがないので、ダミーセル挿入過程がない。
【００５４】
制御部１０１０は、各コードブロック別に区分可能なシーケンスを発生するために、シード値をシーケンス発生部１００５に伝達し、与えられたプリアンブルブロックを満たすために必要な繰り返しセルの数を繰り返し部１００３に伝達する役目をする。
【００５５】
図１１は、本発明の他の実施形態による送信機の概略的な構造を説明するための図である。また、図１１は、図８で説明したように、既知のシーケンスの位置をコードブロックの中間に挿入する方式に関する。
【００５６】
図８のｂを参照すれば、本発明の他の実施形態による送信機は、シーケンス発生部１１０５、符号変調部１１０２、繰り返し部１１０３、シンボルマッピング部１１０４及び制御部１１１０を備えて構成される。
【００５７】
シーケンス発生部１１０５は、既知のシーケンスを発生させ、このようなシーケンスが挿入されたヘッダーを生成して出力する。符号変調部１１０２は、シーケンス発生部１１０５から作成されたヘッダーを制御情報のビット列に挿入し、全体ビット列に対して符号化及び変調を行う。
【００５８】
これにより、ヘッダーがコードブロックの中間に挿入されたコードブロックが生成され、生成されたコードブロックは、繰り返し部１１０３に入力される。すると、繰り返し部１１０３は、必要な部分をコードブロックの開始位置から繰り返してコードブロックの後方に追加する。
【００５９】
その後、シンボルマッピング部１１０４は、生成されたコードブロックをＯＦＤＭセルに各々マッピングして出力する。これにより、１つのプリアンブルブロックが決定される。このような本発明の実施形態によれば、空いているセルがないので、ダミーセル挿入過程がない。
【００６０】
制御部１１１０は、各コードブロック別に区分可能なシーケンスを発生するために、シード値をシーケンス発生部１１０５に伝達し、与えられたプリアンブルブロックを満たすために必要な繰り返しセルの数を繰り返し部１１０３に伝達する役目をする。
【００６１】
以上、送信機の構造について説明した。以下では、このような送信機の動作について説明する。図１２及び図１３は、本発明の実施形態によるプリアンブルブロックを生成する方法を説明するための流れ図である。
【００６２】
図１２は、図７で説明したように、既知のシーケンスの位置をコードブロックの開始位置に挿入する方式に関する。
【００６３】
図１２を参照すれば、送信機は、段階Ｓ１２０１で、１つのコードブロックサイズに該当する制御情報を生成する。その後、送信機は、段階Ｓ１２０３で、制御情報を符号化及び変調化する。引き続いて、送信機は、段階Ｓ１２０５で、符号化されたコードブロックに既知のシーケンスを挿入し、１つのコードブロックを完成する。
【００６４】
この時、送信機は、段階Ｓ１２０７で、伝送すべき制御情報が残っているか否かを判断する。このような判断結果、伝送すべき制御情報が残っている場合、送信機は、段階Ｓ１２０１に進行し、そうではない場合、段階Ｓ１２０９に進行する。
【００６５】
送信機は、段階Ｓ１２０９で、１つのプリアンブルブロックサイズに合うように、コードブロックの開始位置からコードブロックを繰り返す。
【００６６】
その後、段階Ｓ１２１１で、送信機は、１つのプリアンブルブロックサイズ分だけ繰り返されたコードブロックをＯＦＤＭセルにマッピングし、１つのプリアンブルブロックを生成する。
【００６７】
送信機は、段階Ｓ１２１３で、このような１つのプリアンブルブロックをシステム内にすべてのプリアンブルブロックに同一に適用する。
【００６８】
一方、図１３は、図８で説明したように、既知のシーケンスの位置をコードブロックの中間に挿入する方式に関する。
【００６９】
このような図１３によれば、シーケンス挿入時点が変わる。すなわち、図１２の段階Ｓ１２０３及び段階Ｓ１２０５の手順が変更される。
【００７０】
図１３を参照すれば、送信機は、１３０１で、１つのコードブロックサイズに該当する制御情報を生成する。その後、送信機は、１３０３で、制御情報ビット列に既知のシーケンスを挿入する。引き続いて、送信機は、１３０５で、シーケンスが挿入された制御情報を符号化及び変調し、コードブロックを生成する。
【００７１】
以後の過程は、図１２と同様である。すなわち、送信機は、１３０７で、伝送すべき制御情報が残っているか否かを判断する。このような判断結果、伝送すべき制御情報が残っている場合、送信機は、１３０１に進行し、そうではない場合、１３０９に進行する。
【００７２】
送信機は、１３０９で、１つのプリアンブルブロックサイズに合うように、コードブロックの開始位置からコードブロックを繰り返す。その後、送信機は、１３１１で、１つのプリアンブルブロックサイズ分だけ繰り返されたコードブロックをＯＦＤＭセルにマッピングし、１つのプリアンブルブロックを生成する。
【００７３】
１つのプリアンブルブロックを生成した送信機は、１３１３で、このような１つのプリアンブルブロックをシステム内にすべてのプリアンブルブロックに同一に適用する。
【００７４】
以上、本発明の実施形態によるプリアンブル生成方法について説明した。以下では、このようなプリアンブルを受信する方法について説明する。図１４は、本発明の実施形態による受信機の概略的な構成を説明するための図である。
【００７５】
図１４を参照すれば、本発明の実施形態による受信機は、チューナー１４０２、チューナー制御機１４０３、プリアンブル検出器１４０４、シーケンス検出器１４０５、制御情報抽出器１４０６、及びデータ抽出器１４０７を備えて構成される。
【００７６】
チューナー制御部１４０３は、特定帯域のうち所望の受信帯域を決定する。すなわち、放送帯域のうち所望の放送データが伝送される受信帯域を決定する。例えば、受信帯域は、図７の参照符号７３０または図８の参照符号８３０で示されることができる。
【００７７】
チューナー１４０２は、チューナー制御部の制御によって受信帯域を通じて受信信号を受信する。
【００７８】
プリアンブル検出器１４０４は、チューナーによってチューニングされた特定の受信帯域の受信信号数のプリアンブルを検出する。
【００７９】
シーケンス検出器１４０５は、受信されたプリアンブルから一番目のコードブロックのシーケンス位置を探索する。また、シーケンス検出器１４０５は、一番目のコードブロックのシーケンス位置から、実際の制御情報長さ及び位置を検出する。このような制御情報の長さ及び位置を検出する方法は、図７及び図８で説明した通りである。
【００８０】
制御情報抽出器１４０６は、検出した制御情報の長さ及び位置を通じて制御情報を抽出する。前述したように、プリアンブルブロック内に部分的繰り返しが許容されているので、選択的に必要に応じてコードブロック結合が可能である。これにより、制御情報抽出器１４０６は、検出したシーケンスを通じて繰り返し可否を判断することができる。また、制御情報抽出器１４０６は、繰り返されて結合が可能な場合、繰り返されたコードブロックを結合し、結合したコードブロックから制御情報を抽出する。
【００８１】
データ抽出器１４０７は、抽出した制御情報に収納されたパラメータを通じて受信されるチャネルのデータを復号する。
【００８２】
以上、受信機の構造について説明した。以下では、このような受信機の動作について説明する。図１５は、本発明の実施形態による受信方法を説明するための流れ図である。
【００８３】
図１５を参照すれば、受信機は、段階Ｓ１５０１で、放送帯域のうち特定の受信帯域の放送信号を受信する。
【００８４】
その後、受信機は、段階Ｓ１５０３で、時間軸上でフレーム同期を獲得した後、時間軸上でプリアンブルを検出する。引き続いて、受信機は、段階Ｓ１５０５で、検出された周波数軸上でプリアンブルの一番目のコードブロックのシーケンス位置を抽出し、段階Ｓ１５０７で、周波数軸上でシーケンス位置を基に制御情報長さ及び制御情報位置を検出する。
【００８５】
本発明の実施形態によれば、プリアンブルブロック内に部分的繰り返しが許容されているので、受信機は、選択的に必要に応じてコードブロック結合が可能である。したがって、受信機は、段階Ｓ１５０９で、結合するか否かを判断し、結合する場合、受信機は、段階Ｓ１５１１に進行し、繰り返されたコードブロックを結合する。
【００８６】
例えば、図７を参照すれば、参照符号７０３及び７０４は、参照符号７０５及び７０６の一部を繰り返した部分なので、参照符号７０５及び７０６の開始部分に合わせて参照符号７０３及び７０４を結合することができる。
【００８７】
また、図８を参照すれば、順に参照符号８０９の一部と８０４の一部及び８０５は、参照符号８０６、８０７、８０８の一部を繰り返した部分なので、参照符号８０６、８０７、８０８の開始部分に合わせて参照符号８０９の一部と８０４の一部及び８０５を結合することができる。
【００８８】
段階Ｓ１５１３で、受信機は、結合されるかまたは結合されないコードブロックを制御情報の長さ及び制御情報の位置によって検出する。その後、受信機は、段階Ｓ１５１５で、制御情報のパラメータによってデータを復号及び復調する。
【００８９】
なお、本明細書と図面に開示された本発明の実施形態は、本発明の技術内容を容易に説明し、本発明の理解を助けるために特定例を提示したものに過ぎず、本発明の範囲を限定しようとするものではない。ここに開示された実施形態以外にも、本発明の技術的思想に基づく他の変形例が実施可能であることは、本発明の属する技術分野における通常の知識を有する者に自明であろう。
【符号の説明】
【００９０】
１０１  第１チャネル
１０２  第２チャネル
１０３  プリアンブル
１０４  プリアンブル
１０５  放送データ
１０６  放送データ
１０７  放送データ
１０８  放送データ
１０９  放送データ
【図１】
0005620389.tif 000002
【図２】
0005620389.tif 000003
【図３】
0005620389.tif 000004
【図４】
0005620389.tif 000005
【図５】
0005620389.tif 000006
【図６】
0005620389.tif 000007
【図７】
0005620389.tif 000008
【図８】
0005620389.tif 000009
【図９】
0005620389.tif 000010
【図１０】
0005620389.tif 000011
【図１１】
0005620389.tif 000012
【図１２】
0005620389.tif 000013
【図１３】
0005620389.tif 000014
【図１４】
0005620389.tif 000015
【図１５】
0005620389.tif 000016